(57)【要約】【課題】溶接作業を不要とし、居住者在宅のままで、安全にしかも短時間で玄関ドア枠体の取り替えが可能であり、ドア枠体の取り付け工事による騒音も低減できる新規な玄関ドア枠取り替え工法を提供する。【解決手段】既存の玄関ドア枠とその周囲の躯体開口縁部を撤去及び削除した後、新規の玄関ドア枠を該削除された躯体開口部に固定し、新規玄関ドア枠の左右縦枠材の夫々には少なくとも複数のアンカー式引き締め固定手段が適用され、更に上下及び左右の各枠材の夫々には、少なくとも複数のボルト式押圧固定手段が適用され、該新規玄関ドア枠における左右縦枠材及び上部横枠材に適されたボルト式押圧固定手段のボルト先端部と、上記削除された躯体開口部の表面との接触部には接着剤により滑り止め手段が施されることを特徴とする。【選択図】　図３
2004084194.tif 000002
【特許請求の範囲】
【請求項１】
既存の玄関ドア枠とその周囲の躯体開口縁部を撤去及び削除した後、新規の玄関ドア枠を該削除された躯体開口部に固定するドア枠取り替え工法であって、新規玄関ドア枠の左右縦枠材の夫々には少なくとも複数のアンカー式引き締め固定手段が適用され、更に上下及び左右の各枠材の夫々には、少なくとも複数のボルト式押圧固定手段が適用され、該新規玄関ドア枠における左右縦枠材及び上部横枠材に適されたボルト式押圧固定手段のボルト先端部と、上記削除された躯体開口部の表面との接触部には接着剤により滑り止め手段が施されることを特徴とする玄関ドア枠取り替え工法。
【請求項２】
上記玄関ドア枠の左右縦枠材に適用されるアンカー式引き締め固定手段は、夫々３個づつ設置されることを特徴とする請求項１記載の玄関ドア枠取り替え工法。
【請求項３】
上記玄関ドア枠のうち、ドアヒンジが設置される側の縦枠材に設置されるアンカー式引き締め固定手段の数は、反対側の縦枠材に設置されるアンカー式引き締め固定手段の数よりも多数であることを特徴とする請求項１記載の玄関ドア枠取り替え工法。
【発明の詳細な説明】
【０００１】
【発明が属する技術分野】
本発明は玄関ドア枠体の取り替え工法に係り、特に集合住宅等における既存の玄関ドア枠体を撤去し、新たに、少なくとも旧枠体と同寸法かそれより広い枠体を設置するための取り替え工法に関するものである。
【０００２】
【従来の技術】
築後２０年を超える集合住宅にあっては、最近建設される住宅に比べて内装、設備等において相対的に陳腐化が進んでおり、玄関ドアにおいても開閉に支障を来す等、老朽化が進んで、取り替え工事が必要となっている。
【０００３】
この様な集合住宅におけるリフォーム工事は、一般的に一個の住宅棟全体を同時に工事するケースは少なく、戸別の各住戸が必要に応じて、しかも、通常の生活状態を維持したままで行う場合が多い。玄関ドアの改修にあっても同様に、通常の生活状態で短時間に、しかも、隣接住戸に対する騒音等の影響を最小限に工事を完了する必要がある。
【０００４】
このため、従来の居住者在宅のままで玄関ドアの性能を向上する目的で取り替える工法としては、「引き抜き工法」又は「カバー工法」が採用されている。
しかしながら、カバー工法にあっては既存のドア開口寸法より新設されるドア開口の方が狭くなるので、新設される玄関ドアが現状の有効開口寸法を最低限維持するためには引き抜き工法が施工されるが、この工法では既存のドア枠を撤去する必要がある。そして、このような引き抜き工法によるドア枠体の撤去に騒音、振動などを伴なうことはもちろん、新設ドア枠体の固定のために、玄関部分の躯体に埋め込まれた鉄筋アンカーとドア枠体とを溶接する必要がある。このため火災の危険性があると共に作業時間が長くなる等の問題があった。
【０００５】
【発明が解決しようとする課題】
本発明はこの様な従来工法の欠点を解消し、極めて短時間に新規ドア枠体の取り付けができ、溶接作業を不要とした新規ドア枠体の取り付け工法を採用することにより、居住者在宅のままで、安全にしかも短時間で玄関ドア枠体の取り替えが可能であり、ドア枠体の取り付け工事による騒音も低減できる新規な玄関ドア枠取り替え工法を提供するものである。
【０００６】
【課題を解決するための手段】
本発明は、既存の玄関ドア枠とその周囲の躯体開口縁部を撤去及び削除した後、新規の玄関ドア枠を該削除された躯体開口部に固定するドア枠取り替え工法であって、新規玄関ドア枠の左右縦枠材の夫々には少なくとも複数のアンカー式引き締め固定手段が適用され、更に上下及び左右の各枠材の夫々には、少なくとも複数のボルト式押圧固定手段が適用され、該新規玄関ドア枠における左右縦枠材及び上部横枠材に適されたボルト式押圧固定手段のボルト先端部と、上記削除された躯体開口部の表面との接触部には接着剤により滑り止め手段が施されることを特徴とする玄関ドア枠取り替え工法である。
【０００７】
【発明の実施の形態】
本発明の詳細を図１〜図４により説明する。
図１は、本発明の工法によって既に取り替えられた玄関ドア部分の正面図であって、そのドア枠体とこれを支持する建物躯体との関係を特に明らかにしている。玄関部分を模式的に示す例えばコンクリート製の躯体２０は、新規ドア枠１０が固定される開口２１（実際には、既存するドア枠体及び躯体開口部の一部を削除された開口を意味する。）を有し、新規ドア枠１０には通常のドアＤがヒンジ１２〜１２により開閉自在に支持されている。
【０００８】
符号２２〜２２及び２３〜２３で示す部分は、いずれも後述するように、ドア枠１０と躯体２０の開口（上記削除された開口、以下同じ）２１の内側面とを固定するための、固定手段設定位置を示している。そして、図中の開口２１の左右の側面に示された各３個の固定手段位置２２〜２２は、その詳細を後述するように、該開口部壁面に新たに植設されるアンカーボルトによるアンカー式引締め固定手段（以下、明細書においてこの用語を用いる。）の設置個所を示しており、同じく開口２１の上下、左右の各側面に示された各３個の固定手段位置２３〜２３は、ボルトを該開口の壁面に対し押圧することにより固定する、ボルト式押圧固定手段（以下、明細書においてこの用語を用いる。）設置個所を示している。なお、これらアンカー式引締め固定手段設置個所２２及びボルト式押圧固定手段設置個所２３の位置及び設置個数は、実施例に示された個数に限定されるものではない。
【０００９】
図２は、例えば図１におけるＡ−Ａ断面を示しており、新規ドア枠１０の上下部分が、躯体２０の玄関部における開口２１の天井側開口面２４及び床側開口面２５に固定されている状態を示している。この図から明らかなように、新規ドア枠１０の上下側の固定は、全てボルト式押圧固定手段３０により行われ、この実施例においては、新規ドア枠１０の上下に各３個のボルト式押圧固定手段３０が設けられている。
【００１０】
新規ドア枠１０を取り付けるための開口２１の天井側開口面２４は、既存のドア枠をその支持部に相当するコンクリート部分又はモルタル部分と共に削除することにより形成され、同様に開口２１の床側開口面２５においても、玄関床面を含むコンクリート支持部を削除することにより形成され、これら開口２１の削除面はいずれも符号２８によって波形面で例示的に表現されている。このような既存のドア枠の撤去及び枠体支持開口２１のコンクリート部分の削除は、従来周知の工法によって行うことができるけれども、例えばハツリ工法等に代えて無騒音の油圧式戸枠撤去装置も提案されている。
【００１１】
新規ドア枠１０の構造は、それ自体が格別に新規なものではなく、例えばスティール製の、少なくとも外側型枠材１０１及び内側型枠材１０２を有している。そして、これら内側及び外側の型枠材１０２，１０１を現場において組み付ける形式のものであって、先ず現場にて外側型枠材１０１を開口部に取りつけた後、ロックウール１０３を充填すると共に内側型枠材１０２を取り付けるものである。なお、ロックウール１０３は、その多くの部分を工場において予め充填することができる。
【００１２】
図１において符号２３〜２３に対応する位置に設定される固定手段であって、本発明の重要な構成部分の１つを示すボルト式押圧固定手段３０について、その構成を説明する。
ボルト式押圧固定手段３０は基本的に、上記新規ドア枠１０の外側型枠材１０１の内面に溶接等により固定されるナット３１と、該ナットに螺合する形式で、その先端部を削って錐状に形成されたボルト３２から構成されている。このような構成のボルト式押圧固定手段３０を新規ドア枠１０の下枠材１３に固定し、そのボルト３２の錐状先端部３３を例えば開口２１の床側開口面２５の削除面２８に押し付けることによって反力を得ると共に、該押圧反力によって新規ドア枠１０を支持するものである。この場合、ボルト式押圧固定手段３０のナット３１は、予め下枠材１３の外側型枠材１０１に溶接されている。
【００１３】
同様に、図２の上部に示された天井側開口面２４においても、床側面開口面２５と同様にボルト式押圧固定手段３０が設置され、そのボルト３２を上枠材１４の外側型枠材１０１に溶接されたナット３１に対して回動しその錐状先端部３３を天井側開口面２４の削除面２８に押し付けることによって、その反力を得ている。そして、この部分のボルト３２の錐状先端部３３と削除面２８との接触部には強力な接着剤２９が施される。このようにして、ボルト先端部の押圧力と接着剤２９の固着力とによって、新規ドア枠１０が開口２１の側面に強固に固定されると共に、ボルト３２の錐状先端部３３のズレを防止されるものである。
なお、図２において符号５１は玄関前の床面を、符号５２は玄関内の床面をそれぞれ示している。
【００１４】
図３は図１におけるＢ−Ｂ断面を表わしている。
ドアＤをヒンジ１２〜１２で開閉自在に支持する新規ドア枠１０は、この図の場合には図１に示す縦方向の両側枠部を示しているけれども、やはりボルト式押圧固定手段３０，３０を用いて、開口２１の側面２６，２６であり躯体２０の一部である削除面２８，２８に対して、ボルト３２の錐状先端部３３を押し付けることによって固定反力を得ている。そして、両側枠部である縦枠材１５，１５に用いられるこれらのボルト式押圧固定手段３０，３０は、いずれも接着剤２９により、その錐状先端部３３の位置ズレを防止する形式である。
【００１５】
図４は、図１におけるＣ−Ｃ断面を表わしている。この図に示す固定手段は本発明の更なる特徴的構成の１つを示している。すなわち、新規ドア枠１０の他の１つの固定手段であるアンカー式の固定手段を用いて、新規ドア枠１０の両側縦枠材１５，１５を躯体２０の開口２１における削除面２８に対して、アンカーボルトを用いて引き締め固定する形式のものである。ここで、アンカーボルト自体の構成は従来公知の形式のものであるけれども、図４に基づいてその構造を説明する。アンカー式引き締め固定手段４０は、その前端部に多数のスリット４１，４１を有し、後端部外周にはネジ部４２が刻設されたシース管４３のネジ部４２に螺合するナット４４と、該シース管４３中に打込まれて上記スリットが設けられたシース管４３の前端部を拡開する芯棒４５とから構成されている。
【００１６】
このようなアンカー式引き締め固定手段３０の敷設には、先ず、上記躯体２０の開口２１における削除面２８に対して、アンカーボルト挿入用の穿孔が行われる。続いて、内部に打ち込み用芯棒４５を有し前端部が拡開可能なシース管４３を上記穿孔内に挿入し、該芯棒４５の頭部を打ちこみ、シース管端部を拡開することによってアンカーが固定される。その後図４に示すように、固定されたシース管４３の後端部に刻設されたネジ部４２に螺合するナット４４によって、新規ドア枠１０の縦枠材１５，１５部分が開口２１の削除面２８に対して引き締められ、強固に固定される。この場合、アンカー式引き締め固定手段４０の固定深さは、シース管４３のネジ部４２におけるナット４４の設定位置により予め決定される。
【００１７】
図２〜図４から明らかなように、アンカー式引き締め固定手段４０及びボルト式押圧固定手段３０によって開口２１の削除面２８に強固に固定された新規ドア枠１０の、該削除面２８と新規ドア枠１０の各外側型枠材１０１との間隙には、施工現場においてロックウール５３が充填される。
また、上記各外側型枠材１０１には、上記隙間の外方にブラケット等を介して熱膨張性耐火シート５４が、防火用スチールプレート５５と共に設置され、更にその外側には、防水シール５６が施されると共に、これらの隙間密封手段の外方にアルミ製化粧モール５７が装着される。
なお、新規ドア枠１０と既存の開口部側面との接触部分にも同様に、アルミ製化粧モール５７が装着される。
【００１８】
【作業手順】
上記本発明のドア枠取り替え工法における作業手順の概略を説明する。
先ず、既存の工法に従って古いドア枠体を、その支持固定部分である躯体のコンクリート又はモルタルと共に撤去する。この場合、古いドア枠体が埋め込み式アンカー等の鉄筋に溶接してあれば、これを切断するとともに、支持部分に相当する開口部のモルタル等をハツリ工法又は切削工法により削除する。
【００１９】
続いて、新規ドア枠１０を上記削除された面２８を有する開口部２１の適宜高さ位置に仮留めするか、又は該新規ドア枠１０における固定個所２２〜２２、２３〜２３の対応する位置を該削除面２８上に位置決めする。そして、これらの固定個所において、アンカー式引き締め固定手段４０を施設する位置に、アンカーボルトのための穿孔が施される。
この実施例の場合には、開口２１の左右の側壁部２６，２６に対してアンカー式引き締め固定手段４０を夫々３個づつ設置しているが、なるべくドアＤをヒンジ１２により支持する側の固定手段に、上記アンカー式引き締め固定手段４０を多く用いることが望ましい。
【００２０】
次に、開口２１に対して新規ドア枠１０を、先ず、アンカー式引き締め固定手段４０のみにより固定するが、この実施例の場合には図１に示す黒矢印に対応する位置に、左右夫々３個づつのアンカー式引き締め固定手段４０を用いて、引き締め固定させる。この場合、図４に示す締め付けナット４４を回動して、新規ドア枠１０の外枠材１０１と開口２１との位置を調整固定する。その後、図１において符号２２に示す全ての位置において、図２に明らかなごとく、ボルト式押圧固定手段３０を用いて、すなわち外枠材１０１に溶接されたナット３１に対してボルト３２を回動することによって、その錐状先端部３３を開口２１の削除面２８に当接させ、その押圧力を調節する。
【００２１】
この様にして、上記開口２１の規定位置に新規ドア枠１０が位置決め固定された後に、図３に示すように、上記各ボルト式押圧固定手段３０の全てのボルト３２の先端部とその接触点である削除面２８との間に、夫々接着剤２９を施すことによって、ボルト３２の先端部３３のズレを防止するものである。
【００２２】
【発明の効果】
上記のごとき本発明によれば、アンカー式引き締め固定手段とボルト式押圧固定手段を併用することによって、新規のドア枠を短時間で確実に固定できることはもちろんであるが、従来工法のごとく埋め込み式アンカーの鉄筋とドア枠材とを溶接する必要がなく、火災等の心配が全くない。
また、アンカー式引き締め固定手段は必要最小限であるので、固定手段を設置するための特別な作業が少なくなり、極めて迅速な取り替え作業が可能となった。そして、ボルト式押圧固定手段におけるボルト先端部と削除面との接点に強力な接着剤を施したために、ボルト先端位置のズレが全くなく、この様な固定手段を多数設けることで、ドア枠固定作業のための作業時間を極めて短時間とすることができた。ちなみに、本発明の工法による、新規ドア枠の交換から設置、固定、仕上げまでに要する時間は約１１０分であった。
更に、本発明の工法にあっては騒音の発生が極めて少なく、塵埃等の発生も非常に少ない上に火災等の心配がないので、居住者及び隣人が在宅のままで作業ができる等、格別の作用効果を奏するものである。
【図面の簡単な説明】
【図１】ドア枠取り替え状態を示す正面図である。
【図２】図１におけるＡ−Ａ断面図である。
【図３】図１におけるＢ−Ｂ断面図である。
【図４】図１におけるＣ−Ｃ断面図である。
【符号の説明】
１０　新規ドア枠
１２　ヒンジ
１３　下枠材
１４　上枠材
１５　縦枠材
２０　躯体
２１　開口
２２　アンカー式引き締め固定手段設置位置
２３　ボルト式押圧固定手段設置位置
２４　天井側開口面
２５　床側開口面
２６　側壁部
２８　削除面
２９　接着剤
３０　ボルト式押圧固定手段
３１，４４　ナット
３２　ボルト
３３　錐状先端部
４１　スリット
４２　ネジ部
４３　シース管
４５　芯棒
１０１　外枠材
１０２　外側型枠材
【図１】
2004084194.tif 000003
【図２】
2004084194.tif 000004
【図３】
2004084194.tif 000005
【図４】
2004084194.tif 000006